(57)【要約】      （修正有）【課題】充電ケースを使用するとき、ケースカバーが紛失しやすいという問題を回避するために、ケース本体から外れないようになっているイヤホン充電ケースを提供する。【解決手段】ケース本体１１、ケースカバー１３、およびスライド機構１５を含むイヤホン充電ケース１であって、ケース本体はイヤホン充電スロット１１１を含む。イヤホン充電スロットを覆うようにケース本体にケースカバーが配置されている。スライド機構は、ケース本体とケースカバーとの間に配置されている。スライド機構は、第１のスライド部と、第１のスライド部に対応する第２のスライド部とを含む。ケースカバーは、スライド機構を介してケース本体にスライド可能に接続されている。イヤホン充電ケースは、ケースカバーとケース本体との間での直線的スライド移動を介して開閉される。【選択図】図３
0003229977.tif 000002
【実用新案登録請求の範囲】
【請求項１】
イヤホン充電ケースであって、
イヤホン充電スロットを備えるケース本体と、
前記イヤホン充電スロットを覆うように前記ケース本体に配置されたケースカバーと、
前記ケース本体と前記ケースカバーとの間に配置され、第１のスライド部と当該第１のスライド部に対応する第２のスライド部とを含むスライド機構と、
を備え、
前記ケースカバーは、前記スライド機構を介して前記ケース本体にスライド可能に接続される、
イヤホン充電ケース。
【請求項２】
請求項１に記載のイヤホン充電ケースにおいて、
前記第１のスライド部はスライディングブロックであり、第２のスライド部はシュートであり、前記スライドブロックは前記シュートにスライド可能に接続される、
イヤホン充電ケース。
【請求項３】
請求項２に記載のイヤホン充電ケースにおいて、
前記スライドブロックは、前記ケースカバーに面する前記ケース本体の面に配置され、前記シュートは、前記ケース本体に面する前記ケースカバーの面に配置される、
イヤホン充電ケース。
【請求項４】
請求項３に記載のイヤホン充電ケースにおいて、
前記シュートの延長方向は、前記イヤホン充電スロットの長さ方向と平行または垂直である、
イヤホン充電ケース。
【請求項５】
請求項２に記載のイヤホン充電ケースにおいて、
前記シュートは、前記ケースカバーに面する前記ケース本体の面に配置され、前記スライドブロックは、前記ケース本体に面する前記ケースカバーの面に配置される、
イヤホン充電ケース。
【請求項６】
請求項５に記載のイヤホン充電ケースにおいて、
前記シュートの延長方向は、前記イヤホン充電スロットの長さ方向と平行または垂直である、
イヤホン充電ケース。
【請求項７】
請求項２に記載のイヤホン充電ケースにおいて、
前記シュートの２つの側壁はそれぞれ、スライドウェイを設けられ、前記スライドブロックの２つの側はそれぞれ、対応する前記スライドウェイに配置されたバンプを設けられる、
イヤホン充電ケース。
【請求項８】
請求項２に記載のイヤホン充電ケースにおいて、
前記スライド機構は、第１の位置決め部と第２の位置決め部とをさらに備え、前記第１の位置決め部は、前記スライドブロックに配置され、前記第２の位置決め部はシュート内に配置され、前記第１位置決め部は、前記第２位置決め部に対応する、
イヤホン充電ケース。
【請求項９】
請求項８に記載のイヤホン充電ケースにおいて、
前記第２位置決め部の個数は２つであり、２つの当該第２位置決め部は、前記シュートの延長方向の２つの端部にそれぞれ配置される、
イヤホン充電ケース。
【請求項１０】
請求項８に記載のイヤホン充電ケースにおいて、
前記第２の位置決め部の個数は複数であり、前記第２の位置決め部は、前記シュート内に間隔をおいて配置される、
イヤホン充電ケース。
【請求項１１】
請求項２に記載のイヤホン充電ケースにおいて、
前記スライド機構は、第１の位置決め部と第２の位置決め部とを備え、前記第１の位置決め部は、前記スライドブロックの一側に配置され、前記第２の位置決め部は前記シュートの一側に配置され、前記第１位置決め部は、前記第２の位置決め部に対応する、
イヤホン充電ケース。
【請求項１２】
請求項１１に記載のイヤホン充電ケースにおいて、
前記第２の位置決め部の個数は２つであり、２つの前記第２の位置決め部は、前記スライド機構を介して前記ケースカバーが前記ケース本体に対してスライドする移動経路上で前記ケースカバーの２つ側にそれぞれ配置される、
イヤホン充電ケース。
【請求項１３】
請求項１１に記載のイヤホン充電ケースにおいて、
前記第２の位置決め部の個数は複数であり、前記第２の位置決め部は、前記シュートの一側に間隔をおいて配置される、
イヤホン充電ケース。
【請求項１４】
請求項８または請求項１１に記載のイヤホン充電ケースにおいて、
前記第１の位置決め部は磁石であり、前記第２の位置決め部は磁性体である、
イヤホン充電ケース。
【請求項１５】
請求項１に記載のイヤホン充電ケースにおいて、
第１の電気接続ポート、複数の第２の電気接続ポート、制御回路、および電源蓄電池をさらに備え、
前記第１の電気接続ポートは、前記ケース本体の一方の側面に配置され、前記複数の第２の電気接続ポートは、前記イヤホン充電スロットの内壁に配置され。前記電源蓄電池および前記制御回路は、前記ケース本体内に配置され、前記第１の電気接続ポート、前記複数の第２の電気接続ポート、および前記電源蓄電池はそれぞれ、前記制御回路に電気的に接続される、
イヤホン充電ケース。
【考案の詳細な説明】
【技術分野】
【０００１】
本出願は、２０２０年３月４日に出願された中国特許出願シリアル番号ＣＮ２０２０２０２５２９２８．Ｘの優先的利益を主張し、その完全な開示は参照により本明細書に組み入れられる。
【０００２】
本開示は、イヤホン充電ケースの技術分野に関し、特に、ケースカバーおよびケース本体がスライドにより開閉されるイヤホン充電ケースに関する。
【背景技術】
【０００３】
従来のブルートゥース（登録商標）無線イヤホンのケースは、通常の使用状況下では紛失する傾向のある取り外し可能なカバーを備えている。
【考案の概要】
【０００４】
本開示の実施形態は、ケースカバーの紛失の問題を解決するためのイヤホン充電ケースを提供する。
【０００５】
本開示は、ケース本体、ケースカバー、およびスライド機構を備えるイヤホン充電ケースを提供する。ケース本体はイヤホン充電スロットを備えている。イヤホン充電スロットを覆うようにケース本体にケースカバーが配置されている。スライド機構は、ケース本体とケースカバーとの間に配置されている。スライド機構は、第１のスライド部と、第１のスライド部に対応する第２のスライド部とを備える。ケースカバーは、スライド機構を介してケース本体にスライド可能に接続されている。
【０００６】
本開示の実施形態では、ケースカバーは、スライド機構を介してケース本体に対してスライド可能に開閉される。ケースカバーは、スライド機構を介してケース本体にスライド可能に接続されている。これにより、充電ケースを取り扱って使用するとき、ケースカバーが紛失しやすいという問題を回避するためにケースカバーはケース本体から外れないようになっている。
【０００７】
しかしながら、理解されるべきことは、この要約が本開示のすべての態様および実施形態を含むとは限らず、この要約がいかなる方法でも限定または制限することを意味するものではなく、本明細書に開示される記載が明らかな改善および修正を包含するように当業者によって理解されることである。
【図面の簡単な説明】
【０００８】
新規であると考えられる例示的な実施形態の特徴ならびに例示的な実施形態に特徴的な要素および／または工程は、添付の実用新案登録請求の範囲に詳細に記載されている。図は説明のみを目的としており、一定の縮尺で描かれていない。例示的な実施形態は、構成および動作方法の両方に関して、添付の図面と併せて以下の詳細な説明を参照することによって最もよく理解されるだろう。
【図１】本考案の第１の実施形態のイヤホン充電ケースの斜視図である。
【図２】本開示の第１の実施形態のイヤホン充電ケースの別の斜視図である。
【図３】本開示の第１の実施形態のイヤホン充電ケースの分解図である。
【図４】図３の領域Ａの拡大図である。
【図５】本開示の第２の実施形態のイヤホン充電ケースの概略図である。
【図６】本開示の第３の実施形態のイヤホン充電ケースの概略図である。
【図７】本開示の第４の実施形態のイヤホン充電ケースの概略図である。
【図８】本開示の第５の実施形態のイヤホン充電ケースの概略図である。
【図９】本開示の第６の実施形態のイヤホン充電ケースの概略図である。
【図１０】本開示の第７の実施形態のイヤホン充電ケースの概略図である。
【図１１】本開示の第８の実施形態のイヤホン充電ケースの概略図である。
【図１２】本開示の第９の実施形態のイヤホン充電ケースの概略図である。
【図１３】本開示の第１０の実施形態のイヤホン充電ケースの概略図である。
【図１４】本開示の第１１の実施形態のイヤホン充電ケースの概略図である。
【図１５】本開示の第１２の実施形態のイヤホン充電ケースの概略図である。
【図１６】本開示の第１３の実施形態のイヤホン充電ケースの概略図である。
【図１７】本開示の第１４の実施形態のイヤホン充電ケースの概略図である。
【図１８】本開示のイヤホン充電ケースの断面図である。
【図１９】本開示のイヤホン充電ケースの回路図である。
【考案を実施するための形態】
【０００９】
次に、本開示の例示的な実施形態が示されている添付の図面を参照して、本開示は以下でより完全に説明されるだろう。しかしながら、この本開示は、多くの異なる形態で具現化されてもよく、本明細書に記載された実施形態に限定されると解釈されるべきではない。むしろ、これらの実施形態を提供することにより、この本開示が徹底的かつ完全であり、かつ、本開示の範囲を当業者に完全に伝えるようにしている。
【００１０】
特定の構成要素を参照するために、説明および以下の実用新案登録請求の範囲を通して特定の用語が使用される。当業者が理解するように、製造業者は構成要素を異なる名前で呼ぶことがある。このドキュメントでは、名前では異なるが機能では異ならない構成要素を区別するよう意図されていない。以下の説明および実用新案登録請求の範囲において、「include（含む）／including（含む）」および「comprise（備える）／comprising（備える）」という用語は、制限のない形で使用され、したがって、「including but not limited to（含むがこれに限定されない）」として解釈されるべきである。「substantial（実質的な）／substantially（実質的に）」とは、許容可能な誤差範囲内で、当業者が特定の誤差範囲で技術的問題を解決して基本的な技術的効果を達成できることを意味する。
【００１１】
以下の説明は、本開示を実行するために最良の企図されたモードに関するものである。この説明は、本開示の一般的な原理を例示する目的で行われたものであり、限定的な意味に解釈されるべきではない。本開示の範囲は、添付の実用新案登録請求の範囲を参照することによって最もよく決定される。
【００１２】
さらに、用語「include（含む）」、「contain（含む）」、およびそれらの任意の変形は、非排他的な包含をカバーするよう意図されている。したがって、一連の要素を含むプロセス、メソッド、オブジェクト、またはデバイスは、これらの要素を含むだけでなく、明示的に指定されていない他の要素も含み、または、そのプロセス、メソッド、オブジェクト、またはデバイスの固有の要素を含んでもよい。これ以上制限されない場合、「include a / an …（…を含む）」によって制限された要素は、その要素を含むプロセス、メソッド、アーティクル、またはデバイスに存在する他の同じ要素を除外しない。
【００１３】
以下の実施形態では、同じ参照番号は、開示全体を通して同じまたは類似の要素を言及するために使用される。
【００１４】
図１および図２は、本開示の第１の実施形態のイヤホン充電ケースの斜視図である。図に示すように、本願は、ブルートゥースイヤホンを収容して充電するためのイヤホン充電ケース１を提供する。本実施形態では、イヤホン充電ケース１は、ケース本体１１と、ケースカバー１３と、スライド機構１５とを備えている。
【００１５】
図３は、本開示の第１の実施形態のイヤホン充電ケースの分解図である。図４は、図３の領域Ａの拡大図である。図に示すように、この実施形態では、ケース本体１１は、イヤホン充電スロット１１１を備えている。ケースカバー１３は、イヤホン充電スロット１１１を覆うようにケース本体１１上に配置される。スライド機構１５は、ケース本体１１とケースカバー１３との間に設けられている。スライド機構１５は、第１のスライド部１５１と、第１のスライド部１５１に対応する第２のスライド部１５３とを備えている。カバーケース１３は、スライド機構１５によってケース本体１１にスライド可能に接続されている。第１のスライド部１５１はスライドブロック１５１１であり、第２のスライド部１５３はシュート（とい）１５３１であり、スライドブロック１５１１はシュート１５３１にスライド可能に接続されている。
【００１６】
本実施形態では、スライドブロック１５１１は、ケースカバー１３に面する（を向いている）ケース本体１１の面上に配置されている。シュート１５３１は、ケース本体１１に面するケースカバー１３の面上に設けられている。シュート１５３１の延長方向は、イヤホン充電スロット１１１の長さ方向Ｄに垂直である。要するに、第１のスライド部１５１はケース本体１１上に配置され、第２のスライド部１５３はケースカバー１３上に配置される。シュート１５３１の２つの対向する側壁は、それぞれスライドウェイ（滑り面）１５２を設けられている。スライドブロック１５１１の対向する２つの側面は、それぞれバンプ（隆起）１５４を設けられている。シュート１５３１の底部に接触するスライドブロック１５１１の面は、シュート１５３１の２つの側の側壁に向かって延びて、バンプ１５４を形成している。バンプ１５４は、シュート１５３１の底部の２つの側のスライドウェイ１５２にさらに埋め込まれる。バンプ１５４およびスライドウェイ１５２は、スライドウェイ１５２の延長方向へ相対的にスライド可能である。このようにして、ケース本体１１およびケースカバー１３は、バンプ１５４およびスライドウェイ１５２によって互いに固定され、シュート１５３１内で直線的に移動するようにスライドブロック１５１１を制限することができる。
【００１７】
本実施形態のイヤホン充電ケース１の未使用時には、ケースカバー１３がケース本体１１のイヤホン充電スロット１１１を覆っているので、ケースカバー１３は閉じられている。ケースカバー１３をイヤホン充電スロット１１１の長さ方向Ｄに垂直な方向に押して、スライドブロック１５１１をシュート１５３１の一端からシュート１５３１の他端に移動させることができ、イヤホン充電スロット１１１を完全に露出するまでケースカバー１３はスライド本体１１に対して相対的かつ平行にスライド（摺動）するだろう。この状態で、ケースカバー１３を開け、イヤホン充電スロット１１１からブルートゥースイヤホンを取り出すことができる。
【００１８】
別の実施形態では、ケースカバー１３に面するケース本体１１の面上にシュート１５３１を配置することもでき、ケース本体１１に面するケースカバー１３の面上にスライドブロック１５１１を配置することができる。要するに、第２のスライド部１５３はケース本体１１上に配置され、第１のスライド部１５１はケースカバー１３上に配置される。
【００１９】
図５は、本開示の第２の実施形態のイヤホン充電ケースの概略図である。図に示すように、本実施形態のイヤホン充電ケースと第１の実施形態のイヤホン充電ケースとの違いは、スライド機構１５が第１の位置決め部１５５と第２の位置決め部１５７とをさらに備えていることである。第１の位置決め部１５５はスライドブロック１５１１上に配置され、第２の位置決め部１５７はシュート１５３１上に配置される。第１の位置決め部１５５は第２の位置決め部１５７に対応（相当）する。第１の位置決め部１５５は磁石であり、第２の位置決め部１５７は磁性体である。第１の位置決め部１５５と第２の位置決め部１５７とが互いに引き合って、ケースカバー１３とケース本体１１との相対位置を定める。
【００２０】
本実施形態では、第１の位置決め部１５５はスライドブロック１５１１上に配置され、シュート１５３１はシュート１５３１の延長方向に設けられた第１の端部１５３２および第２の端部１５３４を有する。すなわち、シュート１５３１がケース本体１１に面した状態で、シュート１５３１の第１の端部１５３２はイヤホン充電スロット１１１から離れている。他方、シュート１５３１の第２の端部１５３４はイヤホン充電スロット１１１に近い。ケースカバー１３がケース本体１１のイヤホン充電スロット１１１を覆うとき、ケース本体１１の第１の位置決め部１５５は、ケース本カバー１３の第２の位置決め部１５７に対向する。第１の位置決め部１５５は、第２の位置決め部１５７を引き付けて固定し、ケースカバー１３を閉じた状態に保つ。ケースカバー１３がケース本体１１から離れた所でスライドすると、第２の位置決め部１５７は第１の位置決め部１５５から外れ、ケース本体１１のイヤホン充電スロット１１１を露出させる。この状態で、ケースカバー１３が開かれる。
【００２１】
別の実施形態では、第１の位置決め部１５５はスライドブロック１５１１上に配置することもでき、第２の位置決め部１５７はイヤホン充電スロット１１１に近いシュート１５３１の一端に配置することもできる。ケースカバー１３がケース本体１１から離れた所でスライドすると、第２の位置決め部１５７が第１の位置決め部１５５を覆うように移動し、第１の位置決め部１５５が第２の位置決め部１５７を引き付けて固定し、ケースカバー１３を開いた状態にする。
【００２２】
図６は、本開示の第３の実施形態のイヤホン充電ケースの概略図である。図に示すように、本実施形態のイヤホン充電ケースと第２の実施形態のイヤホン充電ケースとの違いは、第２の位置決め部１５７の個数が２つである点である。２つの第２の位置決め部１５７は、シュート１５３１の延長方向の２つの端部（第１の端部１５３２および第２の端部１５３４）にそれぞれ配置されている。この実施形態では、ケースカバー１３はケース１１のイヤホン充電スロット１１１を覆い、第１の位置決め部１５５はシュート１５３１の第１の端部１５３２に配置された第２の位置決め部１５７を引き付けて固定し、ケースカバー１３を閉じた状態にする。ケースカバー１３がケース本体１１から離れた所でスライドするとき、イヤホン充電スロット１１１から離れた第２の位置決め部１５７は第１の位置決め部１５５から外れ、イヤホン充電スロット１１１をケース本体１１から露出させる。シュート１５３１の第２の端部１５３４に配置された第２の位置決め部１５７は、第１の位置決め部１５５を覆う。第１の位置決め部１５５は、イヤホン充電スロット１１１に近い第２の位置決め部１５７を引き付けて固定し、ケースカバー１３を開いた状態にする。本実施形態のケースカバー１３が閉状態であっても開状態であっても、２つの第２の位置決め部１５７のうち一方を引き付けてケース本体１１とケースカバー１３との相対位置を確保することにより、第１の位置決め部１５５を固定し、イヤホン充電ケースの使用を容易にできる。
【００２３】
図７は、本開示の第４の実施形態のイヤホン充電ケースの概略図である。図に示すように、本実施形態のイヤホン充電ケースと第２の実施形態のイヤホン充電ケースとの違いは、第１の位置決め部１５５と第２の位置決め部１５７との配置である。この実施形態では、第１の位置決め部１５５はスライドブロック１５１１の一側上に配置され、第２の位置決め部１５７はシュート１５３１の一側上に配置されている。第１の位置決め部１５５は第２の位置決め部１５７に対応（相当）する。この実施形態では、第１の位置決め部１５５もまた、シュート１５３１の第１の端部１５３２に近い第２の位置決め部１５７を引き付けて、ケースカバー１３を閉じた状態にするので、したがって、ここでは再度繰り返されないだろう。
【００２４】
図８は、本開示の第５の実施形態のイヤホン充電ケースの概略図である。図に示すように、本実施形態のイヤホン充電ケースと第３の実施形態のイヤホン充電ケースとの違いは、第１の位置決め部１５５と第２の位置決め部１５７との配置である。この実施形態では、第２の位置決め部１５７の個数は２つである。２つの第２の位置決め部１５７は、ケースカバー１３のシュート１５３１の延長方向の２つの端部にそれぞれ配置されている。本実施形態では、第１位置決め部１５５もまた、シュート１５３１の第１の端部１５３２に近い第２の位置決め部１５７に引き付けられるので、ケースカバー１３は閉じた状態にされる。他方、第１の位置決め部１５５は、シュート１５３１の第２の端部１５３４に近い第２の位置決め部１５７に引き付けられるので、ケースカバー１３は開いた状態にされ、ここでは再度繰り返されないだろう。
【００２５】
図９は、本開示の第６の実施形態のイヤホン充電ケースの概略図である。図に示すように、本実施形態のイヤホン充電ケースと第１の実施形態のイヤホン充電ケースとの違いは、シュート１５３１の延長方向がイヤホン充電スロット１１１の長さ方向と平行であることである。この実施形態では、ケースカバー１３はスライド機構１５を介してケース本体１１に対してスライドし、スライドブロック１５１１はシュート１５３１の２つの端部のいずれかにスライドし、ケースカバー１３はシュート１５３１の延長方向に沿ってスライドしてケースカバー１３を開くようにする。さらに、スライドブロック１５１１は、シュート１５３１の中央にスライドして、ケースカバー１３を閉じるようにし、ここでは再び繰り返されない。
【００２６】
図１０は、本開示の第７の実施形態のイヤホン充電ケースの概略図である。図に示すように、本実施形態のイヤホン充電ケースは、第１の位置決め部１５５および第２の位置決め部１５７をさらに備える点で第６の実施形態と異なる。第１の位置決め部１５５はスライドブロック１５１１上に配置され、第２の位置決め部１５７はシュート１５３１内に配置されている。第１の位置決め部１５５は第２の位置決め部１５７に対応する。第１の位置決め部１５５は磁石であり、第２の位置決め部１５７は磁性体である。第１の位置決め部１５５と第２の位置決め部１５７とは、互いに引き付け合って、開閉するためにケースカバー１３とケース本体１１との位置を定める。この実施形態では、第１の位置決め部１５５はスライドブロック１５１１上に配置され、第２の位置決め部１５７はシュート１５３１の中央に配置されている。ケースカバー１３がケース本体１１のイヤホン充電スロット１１１を覆うとき、ケース本体１１の第１の位置決め部１５５は第２の位置決め部１５７に対向する。すなわち、第２の位置決め部１５７は第１の位置決め部１５５を覆い、第１の位置決め部１５５は第２の位置決め部１５７を引き付けて固定し、ケースカバー１３を閉じた状態にする。ケースカバー１３がケース本体１１に対して左側または右側にスライドすると、第２の位置決め部１５７が第１の位置決め部１５５から外れ、イヤホン充電スロット１１１をケース本体１１から露出させて、ケースカバー１３を開いた状態にする。
【００２７】
別の実施形態では、第１の位置決め部１５５をスライドブロック１５１１上に配置することもできる。第２の位置決め部１５７の個数は２つであり、２つの第２の位置決め部１５７は、ケースカバー１１がスライド機構１５を介してケース本体１１に対してスライドする移動経路上で、ケースカバー１３のスライド経路の２つの端部にそれぞれ配置されている。ケースカバー１３がケース本体１１に対して左側または右側にスライドするとき、２つの第２の位置決め部１５７のうち一方は、２つの第２の位置決め部１５７のうち一方を引き付けて固定してケースカバー１３を開いた状態にする第１の位置決め部１５５を覆うように移動される。
【００２８】
図１１は、本開示の第８の実施形態のイヤホン充電ケースの概略図である。図に示すように、本実施形態のイヤホン充電ケースと第７の実施形態のイヤホン充電ケースとの違いは、第２の位置決め部１５７の個数が複数であることである。第２の位置決め部１５７は、シュート１５３１内に間隔をあけて配置され、具体的には、シュート１５３１の移動経路の途中に配置されるとともにシュート１５３１の延長方向の第１の端部１５３２および第２の端部１５３４に配置されている。第１の位置決め部１５５がシュート１５３１のスライド経路の途中に配置された第２の位置決め部１５７を引き付けると、ケースカバー１３は閉じたままである。第１の位置決め部１５５がシュート１５３１の延長方向の第１の端部１５３２の第２の位置決め部１５７または第２の端部１５３４の第２の位置決め部１５７を引き付けると、ケースカバー１３は開いたままである。
【００２９】
図１２は、本開示の第９の実施形態のイヤホン充電ケースの概略図である。図に示すように、本実施形態のイヤホン充電ケースと第７の実施形態のイヤホン充電ケースとの違いは、第１の位置決め部１５５と第２の位置決め部１５７との位置である。本実施形態では、第１の位置決め部１５５は、スライドブロック１５１１の一方の側に配置されている。第２の位置決め部１５７は、シュート１５３１から離れたケースカバー１３の一方の側に配置され、シュート１５３１の延長方向の中点と一直線に揃えられる。第１の位置決め部１５５は、第２の位置決め部１５７に対応する。本実施形態では、第１の位置決め部１５５が第２の位置決め部１５７を引き付けることにより、ケースカバー１３が閉じられた状態にされる。
【００３０】
図１３は、本開示の第１０の実施形態のイヤホン充電ケースの概略図である。図に示すように、本実施形態のイヤホン充電ケースと第８の実施形態のイヤホン充電ケースとの違いは、第１の位置決め部１５５と第２の位置決め部１５７との配置である。この実施形態では、第２の位置決め部１５７の個数は３つである。３つの第２の位置決め部１５７はシュート１５３１から離れたケースカバー１３の一方の側に配置され、第２の位置決め部１５７のうち１つはシュート１５３１の延長方向の中点と一直線に揃えられ、他の２つの第２の位置決め１５７はシュート１５３１の延長方向の２つの端部と一直線にそれぞれ揃えられている。この実施形態では、第１の位置決め部１５５もまた、シュート１５３１の中央に近い第２の位置決め部１５７を引き付けて、ケースカバー１３を閉じた状態にする。第１の位置決め部１５５がシュート１５３１の延長方向の２つの端部に近い第２の位置決め部１５７に引き付けられると、ケースカバー１３は開いたままとなる。
【００３１】
図１４は、本開示の第１１の実施形態のイヤホン充電ケースの概略図である。図に示すように、本実施形態のイヤホン充電器は、スライド機構１５の個数が複数である点で、第２の実施形態と異なる。本実施形態では、スライド機構１５の個数は２つである。スライド機構１５のシュート１５３１は互いに平行に配置され、２つのシュート１５３１の延長方向はイヤホン充電スロット１１１の長さ方向に対して垂直である。２つのスライドブロック１５１１は、２つのシュート１５３１にそれぞれ対応する。
【００３２】
また、本実施形態では、ケースカバー１３は、２つのスライド機構１５の位置に応じて、第１のケースカバー部１３１と第２のケースカバー部１３３とを備えている。第１のケースカバー部１３１および第２のケースカバー部１３３は、スライド機構１５によって個別に開き、可変性を伴う使用をより便利にすることができる。
【００３３】
図１５は、本開示の第１２の実施形態のイヤホン充電ケースの概略図である。図に示すように、本実施形態のイヤホン充電ケースと第１１の実施形態のイヤホン充電ケースとの違いは、第２の位置決め部１５７の個数が複数であることである。本実施形態では、各スライド機構１５は、シュート１５３１の延長方向の２つの端部にそれぞれ２つの第２の位置決め部１５７を設けている。この実施形態では、第１のケースカバー部１３１および第２のケースカバー部１３３が閉じていても開いていても、それらのケースカバー部は、第１の位置決め部１５５が第２の位置決め部１５７のうち１つを引き付けることによって固定でき、イヤホン充電ケースの使用を容易にしている。
【００３４】
図１６は、本開示の第１３の実施形態のイヤホン充電ケースの概略図である。図に示すように、本実施形態のイヤホン充電ケースと第１１の実施形態のイヤホン充電ケースとの違いは、複数のシュート１５３１の延長方向がイヤホン充電スロット１１１の長さ方向と平行であることである。この実施形態では、２つのスライドスロット１５３１は同じ延長方向に配置され、２つのスライドブロック１５１１はそれぞれ２つのスライドスロット１５３１に対応して個々に配置されている。第１のケースカバー部１３１および第２のケースカバー部１３３が閉じられると、第１のケースカバー部１３１の第２の位置決め部１５７は、スライドブロック１５１１の第１の位置決め部１５５を覆うので、第１の位置決め部１５５が第２の位置決め部１５７を引き付けて固定する。同様に、第２のケースカバー部１３３の第２の位置決め部１５７は、第１の位置決め部１５５が第２の位置決め部１５７を引き付けて固定するように、他のスライディングブロック１５１１の第１の位置決め部１５５を覆っている。
【００３５】
この実施形態では、第１のケースカバー部１３１および第２のケースカバー部１３３は、個別にケース本体１１から離れた所でケース本体１１の２つの側に向けてスライドすることができる。こうして、第１のケースカバー部１３１の第２の位置決め部１５７と第２のケースカバー部１３３の第２の位置決め部１５７との両方は、ケース本体１１の第１の位置決め部１５５から取り外しでき、第１のケースカバー部１３１および第２のケースカバー部１３３とは開かれる。
【００３６】
図１７は、本開示の第１４の実施形態のイヤホン充電ケースの概略図である。図に示すように、本実施形態のイヤホン充電ケースは、複数の第２の位置決め部１５７を備える点で、第１３の実施形態と異なる。本実施形態では、第１のケースカバー部１３１のシュート１５３１と第２のケースカバー部１３３のシュート１５３１とは、２つの第２の位置決め部１５７を個々に設けられている。２つの第２の位置決め部１５７は、シュート１５３１の延長方向の２つの端部に設けられている。この実施形態では、第１のケースカバー部１３１および第２のケースカバー部１３３が閉じていても開いていても、それらのケースカバー部は、第１の位置決め部１５５が第２の位置決め部１５７のうち一方を引き付けることによって固定でき、イヤホン充電ケースの使用を容易にする。
【００３７】
図１８および図１９は、本開示のイヤホン充電ケースの断面図および回路図である。図示するように、この実施形態では、イヤホン充電ケース１は、第１の電気接続ポート１７１、複数の第２の電気接続ポート１７３、制御回路１７５、および電源蓄電池１７７をさらに備える。第１の電気接続ポート１７１は、ケース本体１１の一方の側面に配置されている。複数の第２の電気接続ポート１７３は、イヤホン充電スロット１１１の内壁に配置されている。電源蓄電池１７７および制御回路１７５は、ケース本体１１内に配置されている。第１電気接続ポート１７１、複数の第２の電気接続ポート１７３、および電源蓄電池１７７は、それぞれ制御回路１７５に電気的に接続されている。
【００３８】
したがって、第１の電気接続ポート１７１が外部電源に接続された後に、電気エネルギーは、蓄電のために電源蓄電池１７７に伝達（移動）される。第１の電気接続ポート１７１は、ＵＳＢ、マイクロＵＳＢ、タイプＣなどの従来の電気ジャックであってもよい。第２の電気接続ポート１７３は、ブルートゥースイヤホンの充電ポートに対応し、電気エネルギーをブルートゥースイヤホンに送る。制御回路１７５は、第１の電気接続ポート１７１から電源蓄電池１７７に電気エネルギーを送るために使用され、第２の電気接続ポートを制御して、電源蓄電池１７７などから電気エネルギーを出力する。
【００３９】
要約すると、本開示は、ケースカバーがスライド機構によって開閉され得るイヤホン充電ケースを提案している。ケースカバーとケース本体との間の直線相対移動（運動）により、ケースカバーとケース本体との間の摩擦の影響が非常に制限されて、イヤホン充電ケースの寿命を延ばすことができる。
【００４０】
理解されるべきことは、用語「comprise（備える）」、「comprising（備える）」、またはそれらの任意の他の変形が、非排他的な包含を包むよう意図されて、一連の要素のプロセス、メソッド、アーティクル、またはデバイスがそのような要素を含むだけでなく、明示的にリストされていない他の要素、または、そのようなプロセス、メソッド、アーティクル、またはデバイスに固有の要素も含むようにしていることである。「comprising a …（…を備える）」という句によって定義される要素は、その要素を備えるプロセス、メソッド、アーティクル、またはデバイスにおける同じ要素の存在を排除するものではない。
【００４１】
本開示は、その好適な実施形態に関連して説明されたが、本開示を限定することを意図するものではない。本明細書で具体的に説明された実施形態を超える例示的な実施形態の他の変形が本開示の趣旨から逸脱することなくなされ得ることは、本開示を考慮する当業者にとって明らかであろう。したがって、そのような変形は、添付の実用新案登録請求の範囲によってのみ制限されるものとして、本開示の範囲内であると見なされる。
【図１】
0003229977.tif 000003
【図２】
0003229977.tif 000004
【図３】
0003229977.tif 000005
【図４】
0003229977.tif 000006
【図５】
0003229977.tif 000007
【図６】
0003229977.tif 000008
【図７】
0003229977.tif 000009
【図８】
0003229977.tif 000010
【図９】
0003229977.tif 000011
【図１０】
0003229977.tif 000012
【図１１】
0003229977.tif 000013
【図１２】
0003229977.tif 000014
【図１３】
0003229977.tif 000015
【図１４】
0003229977.tif 000016
【図１５】
0003229977.tif 000017
【図１６】
0003229977.tif 000018
【図１７】
0003229977.tif 000019
【図１８】
0003229977.tif 000020
【図１９】
0003229977.tif 000021